(57)【要約】      （修正有）【課題】上下逆さまに配置した場合であっても積み重ねることができるコンテナを提供する。【解決手段】コンテナ本体２１を積み重ねた状態で対向する上段コンテナ本体２１の下方を向いた面及び下段コンテナ本体２１の上方を向いた面に互いに係合する第一係合部４１及び第二係合部４２が配置されるように構成する。開口部を正面に向けた状態において、開口部の左上の角部５１と右下の角部５２とを結ぶ対角線を第一対角線５３とし、開口部の右上の角部５４と左下の角部５５とを結ぶ対角線を第二対角線５６とした際に、第一対角線５３に近接した上面３１の部位と、第一対角線５３に近接した下面３４の部位とに第一係合部４１を設ける。第二対角線５６に近接した上面の部位と、第二対角線５６に近接した下面３４の部位とに、第一係合部４１と係合する第二係合部４２を設ける。【選択図】図２
0003166384.tif 000002
【実用新案登録請求の範囲】
【請求項１】
矩形状の開口部を正面に向けた状態で積み重ね可能なコンテナ本体からなり、コンテナ本体を積み重ねた状態で対向する上面及び下面に互いに係合する第一係合部及び第二係合部が設けられたコンテナにおいて、
前記開口部の角部を結ぶ対角線のうちの一方の対角線に近接した前記上面及び前記下面の部位に前記第一係合部を設定するとともに、他方の対角線に近接した前記上面及び前記下面の部位に前記第二係合部を設定したことを特徴とするコンテナ。
【請求項２】
前記上面及び前記下面にロ字状の補強リブを設け、該補強リブに前記第一係合部及び前記第二係合部を設定したことを特徴とする請求項１記載のコンテナ。
【請求項３】
前記開口部を閉鎖するとともに該開口部を閉鎖した状態で前記コンテナ本体の外寸からはみ出ない大きさの蓋部を備えたことを特徴とする請求項１又は２記載のコンテナ。
【請求項４】
前記コンテナ本体は、ファイルを収容するファイル収容箱であることを特徴とした請求項１、２又は３記載のコンテナ。
【考案の詳細な説明】
【技術分野】
【０００１】
本考案は、重ねて使用されるコンテナに関する。
【背景技術】
【０００２】
従来、収容物を収容する際には、前面に開口部を有するコンテナが使用されていた。
【０００３】
このコンテナは、複数重ねて使用できるように構成されており、コンテナの底面には、凸部が形成されている。また、コンテナの天面には、凹部が設けられている。
【０００４】
これにより、コンテナ同士を重ねた際には、上段に配置されたコンテナ底面の凸部が、下段に配置されたコンテナ天面の凹部と係合するように構成されており、重ねられたコンテナ同士の不用意なズレを防止できるように構成されている。
【考案の概要】
【考案が解決しようとする課題】
【０００５】
しかしながら、このような従来のコンテナにあっては、天面を下方へ向けて配置した場合、上段のコンテナ天面に設けられた凸部と、下段のコンテナ天面に設けられた凸部とが対向し当接てしまう。
【０００６】
この場合、両者の積み重ねが不能となるとともに、横ずれを防止できないという問題があった。
【０００７】
本考案は、このような従来の課題に鑑みてなされたものであり、上下逆さまに配置した場合であっても積み重ねることができるコンテナを提供することを目的とするものである。
【課題を解決するための手段】
【０００８】
前記課題を解決するために本考案の請求項１のコンテナにあっては、矩形状の開口部を正面に向けた状態で積み重ね可能なコンテナ本体からなり、コンテナ本体を積み重ねた状態で対向する上面及び下面に互いに係合する第一係合部及び第二係合部が設けられたコンテナにおいて、前記開口部の角部を結ぶ対角線のうちの一方の対角線に近接した前記上面及び前記下面の部位に前記第一係合部を設定するとともに、他方の対角線に近接した前記上面及び前記下面の部位に前記第二係合部を設定した。
【０００９】
すなわち、コンテナ本体の開口部の角部を結ぶ対角線のうちの一方の対角線に近接した上面及び下面の部位には第一係合部が設定されており、他方の対角線に近接した前記上面及び前記下面の部位には第二係合部が設定されている。
【００１０】
具体的に説明すると、コンテナ本体の上面を上方へ向けて配置した状態において、前記上面の左側及び下面の右側に第一係合部が配置されるとともに、前記上面の右側及び前記下面の左側に第二係合部が配置されると仮定する。
【００１１】
この場合において、当該コンテナ本体を上下逆さまに配置すると、前記上面が下方を向くとともに前記下面が上方を向くことになる。
【００１２】
このとき、上方を向く前記下面の左側及び下方を向いた前記上面の右側には、前記第一係合部が配置されるとともに、下方を向いた前記上面の右側及び上方を向いた前記下面の左側には、前記第二係合部が配置される。
【００１３】
このように、前記上面及び前記下面のどちらを上にしても、前記第一係合部及び前記第二係合部の配置関係が一定に保たれる。
【００１４】
また、請求項２のコンテナにおいては、前記上面及び前記下面にロ字状の補強リブを設け、該補強リブに前記第一係合部及び前記第二係合部を設定した。
【００１５】
すなわち、前記第一係合部及び前記第二係合部は、前記上面及び前記下面に形成された補強リブに設定されており、当該補強リブは、ロ字状に形成されている。
【００１６】
このため、前記両係合部の形成と、前記上面及び前記下面の補強とが同時に行われる。
【００１７】
さらに、請求項３のコンテナでは、前記開口部を閉鎖するとともに該開口部を閉鎖した状態で前記コンテナ本体の外寸からはみ出ない大きさの蓋部を備えている。
【００１８】
すなわち、前記コンテナ本体は、開口部が正面を向けた状態で重ねられる。
【００１９】
このとき、前記開口部を閉鎖する前記蓋部は、前記開口部を閉鎖した状態で前記コンテナ本体の外寸からはみ出ない大きさに設定されている。このため、隣接したコンテナ本体の開口部を閉鎖する蓋部との干渉が防止される。
【００２０】
加えて、請求項４のコンテナにあっては、前記コンテナ本体は、ファイルを収容するファイル収容箱である。
【００２１】
このため、正面へ向けて開口した前記開口部からのファイル出し入れが容易に行われる。
【考案の効果】
【００２２】
以上説明したように本考案の請求項１のコンテナにあっては、コンテナ本体の上面及び下面のどちらを上にしても、互いに係合する第一係合部及び第二係合部の配置関係を一定に保つことができる。このため、コンテナ本体を上下逆さまに配置した場合であっても積み重ねることができ、この積み重ね状態において、両者の横ずれを防止することができる。
【００２３】
したがって、上下逆さまに配置した場合に積み重ねが不能となるとともに横ずれを防止することができなくなる従来と比較して、積み重ね及び横ずれ防止を行うことができ、利便性が向上する。
【００２４】
また、請求項２のコンテナにおいては、前記第一係合部及び前記第二係合部は、前記上面及び前記下面に形成された補強リブに設定されており、当該補強リブは、ロ字状に形成されている。
【００２５】
このため、前記上面及び前記下面への前記両係合部の形成と、前記上面及び底面の補強とを同時に行うことができる。
【００２６】
これにより、前記両係合部と前記補強構造を別構造とした場合と比較して、低コスト化を図ることができる。
【００２７】
さらに、請求項３のコンテナでは、前記開口部を閉鎖した状態で前記コンテナ本体の外寸からはみ出ない大きさの蓋部を備えている。
【００２８】
このため、隣接したコンテナ本体の開口部を閉鎖する蓋部が前記開口部の外周部に外嵌する場合と比較して、隣接したコンテナ本体の蓋部同士の干渉を防止することができる。
【００２９】
したがって、蓋部の開け閉めが容易となり、利便性が向上する。
【００３０】
加えて、請求項４のコンテナにあっては、前記コンテナ本体は、ファイルを収容するファイル収容箱である。
【００３１】
このため、正面へ向けて開口した前記開口部からのファイルの出し入れを容易に行うことができる。
【図面の簡単な説明】
【００３２】
【図１】本考案の一実施の形態を示す説明図である。
【図２】同実施の形態を示す斜視図である。
【図３】同実施の形態を示す側面図である。
【図４】同実施の形態を示す断面図である。
【図５】同実施の形態の要部を示す拡大図である。
【図６】同実施の形態のコンテナを重ねた状態を示す拡大図である。
【図７】同実施の形態の蓋体を示す要部の拡大図である。
【考案を実施するための形態】
【００３３】
以下、本考案の実施の形態を図に従って説明する。
【００３４】
図１は、本実施の形態にかかるコンテナ１の使用例を示す図であり、三つのコンテナ１，・・・が重ねて配置されるとともに、三段重ねのコンテナ１，・・・が横並びに配置された状態が示されている。
【００３５】
このコンテナ１の正面には、開口部１１が形成されており、当該開口部１１から複数のファイル１２，・・・を収容できるように構成されている。これにより、当該コンテナ１は、ファイルを収容するファイル収容箱を構成している。
【００３６】
このコンテナ１は、図２及び図３に示すように、合成樹脂によって矩形状に形成されたコンテナ本体２１からなり、該コンテナ本体２１の正面には、横長の長方形状の前記開口部１１が形成されている（図１参照）。前記コンテナ１は、前記開口部１１を閉鎖する蓋部２２を備えており、該蓋部２２は、透明性を有した合成樹脂によって形成されている。
【００３７】
前記コンテナ本体２１は、図２から図４に示すように、前記開口部１１を正面に向けた状態で上部を形成する上面３１と、該上面３１の左縁より下方へ向けて延出した左側面３２と、前記上面３１の右縁より下方へ向けて延出した右側面３３と、前記左側面３２及び前記右側面３３を下縁にて連設する下面３４と、前記上面３１、前記左側面３２、前記右側面３３及び前記下面３４を連設する背面３５とによって構成されており、矩形容器状に形成されている。
【００３８】
このコンテナ本体２１は、成形品なのでテーパを有しているが、外部リブの高さを異ならせることで傾きを防止している。
【００３９】
前記コンテナ本体２１は、図１に示したように、積み重ねて使用したり、図２のように開口面を上にして使用できるように構成されており、コンテナ本体２１，・・・を積み重ねた状態で対向する上段のコンテナ本体２１の下方を向いた面、及び下段のコンテナ本体２１の上方を向いた面に、図２から図４に示したように、互いに係合する第一係合部４１，４１及び第二係合部４２，４２が配置されるように構成されている。
【００４０】
すなわち、前記開口部１１を正面に向けた状態において、図２に示したように、当該開口部１１の左上の角部５１と右下の角部５２とを結ぶ対角線を第一対角線５３とするとともに、前記開口部１１の右上の角部５４と左下の角部５５とを結ぶ対角線を第二対角線５６とした際に、一方の対角線である前記第一対角線５３に近接した前記上面３１の部位、具体的には該上面３１の左縁部分と、前記第一対角線５３に近接した前記下面３４の部位、具体的には該下面３４の右縁部分とには、前記第一係合部４１，・・・が設定されている。
【００４１】
また、他方の対角線である前記第二対角線５６に近接した前記上面３１の部位、具体的には該上面３１の右縁部分と、前記第二対角線５６に近接した前記下面３４の部位、具体的には該下面３４の左縁部分とには、前記第一係合部４１，・・・と係合する前記第二係合部４２，・・・が設定されている。
【００４２】
前記上面３１及び前記下面３４には、図２及び図４に示すように、ロ字状の補強リブ６１，６１が一体形成されており（図４参照）、該補強リブ６１，６１は、前記各面３１，３４の周縁に沿って延設されている。
【００４３】
すなわち、前記上面３１及び下面３４は、横長の長方形状に形成されており（図２参照）、前記補強リブ６１，６１は、両面３１，３４の左縁に沿って延在する左短辺構成部７１と、前記両面３１，３４の右縁に沿って延在する右短辺構成部７２と、前記左短辺構成部７１の端部と前記右短辺構成部７２の端部とを連設する一対の長辺構成部７３，７３とによって構成されている。
【００４４】
これにより、前記上面３１及び前記下面３４は、横長長方形状であってロ字状の前記補強リブ６１が形成されており、板状に形成された前記両面３１，３４が補強されている。
【００４５】
そして、この補強リブ６１，６１の角部には、前記第一係合部４１，・・・及び前記第二係合部４２，・・・が形成されている。
【００４６】
具体的に説明すると、図２及び図５に示すように、前記上面３１に形成された前記補強リブ６１において、前記左短辺構成部７１の両端と前記長辺構成部７３，７３とが連設された各角部と、前記下面３４に形成された前記補強リブ６１において、前記右短辺構成部７２の両端と前記長辺構成部７３，７３とが連設された各角部とは、内側に後退するように構成されており、これにより前記第一係合部４１，・・・が形成されている。
【００４７】
また、前記上面３１に形成された前記補強リブ６１において、前記右短辺構成部７２の両端と前記長辺構成部７３とが連設された各角部と、前記下面３４に形成された前記補強リブ６１において、前記左短辺構成部７１の両端と前記長辺構成部７３，７３とが連設された各角部とは、その高さ寸法が当該補強リブ６１の一般部８１より高く設定されており、これにより前記第二係合部４２，・・・が形成されている。
【００４８】
これにより、図６に示すように、前記コンテナ本体２１の前記開口部１１を正面に向けて配置するとともに当該コンテナ本体２１，２１同士を積み重ねた状態で、下段のコンテナ本体２１の前記上面３１に形成された前記補強リブ６１の前記左短辺構成部７１に設定された前記第一係合部４１，４１に、上段のコンテナ本体２１の前記下面３４に形成された前記補強リブ６１の前記左短辺構成部７１に設定された前記第二係合部４２，４２の先端部が挿入された状態で係合するように構成されている。
【００４９】
このとき、下段のコンテナ本体２１の前記上面３１に形成された前記補強リブ６１の前記右短辺構成部７２に設定された前記第二係合部４２，４２の先端部が、上段のコンテナ本体２１の前記下面３４に形成された前記補強リブ６１の前記右短辺構成部７２に設定された前記第一係合部４１，４１に挿入された状態で係合するように構成されている。
【００５０】
これにより、前記コンテナ本体２１，２１の積み重ねが可能となるとともに、積み重ねた状態で上下にコンテナ本体２１，２１同士の横ずれを防止できるように構成されている。
【００５１】
なお、前記補強リブ６１に形成された前記第二係合部４２，４２は、前記開口部１１を正面へ向けた状態において、奥側に配置される第二係合部４２の高さ寸法が正面側に配置される第二係合部の高さ寸法よりやや高くなるように設定されている。これにより、積み重ねた状態において、上段のコンテナ本体２１の背面側への反りを防止できるように構成されている。
【００５２】
一方、前記蓋部２２は、図４に示したように、前記開口部１１に内嵌した状態で当該開口部１１を閉鎖するように構成されている。
【００５３】
すなわち、前記蓋部２２は、前記開口部１１に装着した状態で当該開口部１１に内嵌する矩形容器状の内嵌部１０１と、該内嵌部１０１の縁部より側方に延出した矩形リング状の鍔部１０２とによって一体形成されている。該鍔部１０２は、当該蓋部２２で前記開口部１１を閉鎖した状態において、該開口部１１の外周部に形成された本体鍔部１０３に対面するように構成されている。
【００５４】
また、当該蓋部２２は、前記開口部１１を閉鎖した状態で前記コンテナ本体２１の外寸からはみ出ない大きさに形成されている。
【００５５】
具体的に説明すると、当該蓋部２２において最も外形寸法の大きな鍔部１０２の外形寸法は、前記コンテナ本体２１の最も大きな外形寸法を形成する前記本体鍔部１０３より小さく設定されることによって、前記蓋部２２が前記開口部１１を閉鎖した状態で前記コンテナ本体２１の外寸からはみ出ない大きさに設定されている。
【００５６】
前記内嵌部１０１の両側面１１１，１１１には、図７に示すように、係止部１１２が二箇所に形成されており、この係止部１１２に対応した前記コンテナ本体２１の左側面３２及び右側面３３の部位には、図４及び図７に示したように、係止穴１１３，１１３が形成されている。
【００５７】
前記係止部１１２は、図７に示したように、離間して設けられた一対の左右移動防止リブ１２１，１２１を備えており、該左右移動防止リブ１２１，１２１は、前記鍔部１０２から前記内嵌部１０１の前記側面１１１に沿って延設されている。両左右移動防止リブ１２１，１２１間には、突片１２２が設けられており、該突片１２２も、前記鍔部１０２から前記内嵌部１０１の前記側面１１１に沿って延設されている。
【００５８】
この突片１２２は、側面から切り起こされており、当該突片１２２の先端部には、側方へ向けて突出した突起部１３１が一体形成されている。これにより、当該蓋部２２を前記コンテナ本体２１の前記開口部１１に内嵌した状態で、前記コンテナ本体２１の前記左側面３２及び右側面３３に形成された前記係止穴１１３，・・・の開口縁部に前記突片１２２の前記突起部１３１が係合して抜け止めを形成できるように構成されている。
【００５９】
このとき、前記左右移動防止リブ１２１，１２１が前記係止穴１１３の左右縁部に当接することで、当該蓋部２２の横ずれを防止できるように構成されている。
【００６０】
以上の構成にかかる本実施の形態において、前記コンテナ本体２１の前記開口部１１の角部を結ぶ対角線のうちの一方の対角線を構成する第一対角線５３に近接した上面３１及び下面３４の部位には第一係合部４１，４１が設けられており、他方の対角線である第二対角線５６に近接した前記上面３１及び前記下面３４の部位には第二係合部４２，４２が設定されている。
【００６１】
すなわち、前記コンテナ本体２１の前記上面３１を上方へ向けて配置した状態において、該上面３１の左側及び前記下面３４の右側に前記第一係合部４１，・・・が配置されるとともに、前記上面３１の右側及び前記下面３４の左側に前記第二係合部４２，・・・が配置される。
【００６２】
この場合において、当該コンテナ本体２１を上下逆さまに配置すると、前記上面３１が下方を向くとともに前記下面４が上方を向くことになる。
【００６３】
このとき、上方を向く前記下面３４の左側及び下方を向いた前記上面３１の右側には、前記第一係合部４１，・・・が配置されるとともに、下方を向いた前記上面３１の右側及び上方を向いた前記下面３４の左側には、前記第二係合部４２，・・・が配置される。
【００６４】
このように、前記開口部１１を前面にしておけば、前記上面３１及び前記下面３４のどちらを上にしても、互いに係合する前記第一係合部４１，・・・及び前記第二係合部４２，・・・の配置関係を一定に保つことができる。このため、コンテナ本体２１を上下逆さまに配置した場合であっても積み重ねることができ、この積み重ね状態において、両者２１，２１の横ずれを防止することができる。
【００６５】
したがって、上下逆さまに配置した場合に積み重ねが不能となるとともに横ずれを防止することができなくなる従来と比較して、積み重ね及び横ずれ防止を行うことができ、利便性が向上する。
【００６６】
また、前記第一係合部４１，・・・及び前記第二係合部４２，・・・は、前記上面３１及び前記下面３４に形成された補強リブ６１，６１に設定されており、当該補強リブ６１，６１は、ロ字状に形成されている。
【００６７】
このため、前記両係合部４１，・・・、４２，・・・の形成と、前記上面３１及び前記下面３４の補強とを同時に行うことができる。
【００６８】
これにより、前記両係合部４１，・・・、４２，・・・と前記補強構造を別構造とした場合と比較して、低コスト化を図ることができる。
【００６９】
さらに、前記コンテナ１は、前記コンテナ本体２１の外寸の内側に収まる寸法に形成されており、前記開口部１１に内嵌する蓋部２２を備えている。
【００７０】
このため、前記コンテナ本体２１の前記開口部１１を正面へ向けて重ねた状態において、前記開口部１１を閉鎖する前記蓋部２２を前記開口部１１に内嵌することができる。
【００７１】
このとき、前記開口部１１を閉鎖した前記蓋部２２は、前記開口部１１を閉鎖した状態で前記コンテナ本体２１の外寸からはみ出ない大きさに設定されている。このため、隣接したコンテナ本体２１，２１の開口部１１を閉鎖する蓋部２２が前記開口部１１の外周部に外嵌する場合と比較して、隣接したコンテナ本体２１，２１の蓋部２２，２２同士の干渉を防止することができる。
【００７２】
したがって、蓋部２２の開け閉めのため重ねたり、横並びとしコンテナ１を組み直す必要もなく、蓋部２２の開け閉めが容易となり、利便性が向上する。
【００７３】
そして、本実施の形態のコンテナ１は、前記コンテナ本体２１にファイル１２，・・・を収容できるファイル収容箱である。
【００７４】
このため、正面へ向けて開口した前記開口部１１からのファイル１２，・・・の出し入れを容易に行うことができ、利便性が向上する。
【符号の説明】
【００７５】
１    コンテナ
１１    開口部
１２    ファイル
２１    コンテナ本体
２２    蓋部
３１    上面
３４    下面
【図１】
0003166384.tif 000003
【図２】
0003166384.tif 000004
【図３】
0003166384.tif 000005
【図４】
0003166384.tif 000006
【図５】
0003166384.tif 000007
【図６】
0003166384.tif 000008
【図７】
0003166384.tif 000009